(57)【特許請求の範囲】
【請求項１】
ペン形状に形成され、長手方向に取付部が設けられたペン本体と、
前記ペン本体の長手方向の一方の端部に形成される位置指示を行うためのペン先と、
前記ペン本体の長手方向に設けられた前記取付部の所定の位置に、移動可能に取り付けられ、電磁誘導作用に対して非干渉な材料により形成される、同一形状で同一形状で同一又は異なる重さの複数種類の重さ調整部材と、
前記取付部に対する前記重さ調整部材の取付位置を調整することによって、前記ペン本体の長手方向の重心位置を移動可能にするともに、前記ペン本体の重量を調整可能と
することを特徴とする電子ペン。
【請求項２】
前記取付部には、前記重さ調整部材を位置規制するための規制部が設けられていることを特徴とする
請求項１に記載の電子ペン。
【請求項３】
前記複数種類の重さ調整部材は、重さ部材と、前記重さ部材よりも軽量の材料からなるダミー部材で構成され、前記重さ部材と前記ダミー部材が前記ペン本体の前記取付部に所定の位置関係で配置されることを特徴とする、
請求項２に記載の電子ペン。
【請求項４】
更にカバー部材を備え、該カバー部材によって前記取付部に取り付けられた前記重さ調整部材が覆われるようにしたことを特徴とする、
請求項３に記載の電子ペン。
【請求項５】
前記重さ部材及び前記ダミー部材のそれぞれには貫通孔が備えられており、前記貫通孔
によって、前記重さ部材と前記ダミー部材とが前記ペン本体の前記取付部に所定の位置関係で配置されることを特徴とする、
請求項３又は４に記載の電子ペン。
【発明の詳細な説明】
【技術分野】
【０００１】
本発明は、重さを調整可能な電子ペンに関するものである。
【背景技術】
【０００２】
入力ペンを用いて電磁誘導作用によりタブレット型デジタイザへの入力検出を行う液晶表示能付き入力装置が提案されている（特許文献１参照）。この液晶表示能付き入力装置は、パーソナルコンピュータ（ＰＣ（Personal Computer））、ＰＤＡ（Personal Digital Assistant）などの電子機器にも適用される。
【０００３】
また、このようなデジタイザに用いられる入力ペンは、デジタイザの規格又は設計条件により、重心の位置や自重が予め定められていた。
【特許文献１】特開２００５−２７５３８１号公報
【発明の開示】
【発明が解決しようとする課題】
【０００４】
ここで、デジタイザのユーザであるデザイナーなどは、長時間にわたって入力ペンを使用することがある。このため、入力ペンの握り具合や重さなどを、入力がしやすいように好みに応じて調整したいという要求がある。
【０００５】
しかし、上述した特許文献１に記載の技術のように、入力ペンの重心の位置や自重が固定されていると、これらをユーザの好みに応じて調整することができない。このため、操作性が低下するという問題があった。
【０００６】
そこで、本発明の目的は、入力ペンの重心の位置や自重をユーザの好みに応じて調整することにより、操作性を向上させることができる電子ペンを提供することである。
【課題を解決するための手段】
【０００７】
上記の課題を解決し、本発明の目的を達成するため、本発明の電子ペンは、ペン形状に形成され、長手方向に取付部が設けられたペン本体と、ペン本体の長手方向の一方の端部に形成される位置指示を行うためのペン先と、ペン本体の長手方向に設けられた取付部の所定の位置に、移動可能に取り付けられ、電磁誘導作用に対して非干渉な材料により形成される、同一形状で同一形状で同一又は異なる重さの複数種類の重さ調整部材と、を備える。そして、取付部に対する重さ調整部材の取付位置を調整することによって、ペン本体の長手方向の重心位置を移動可能にするともに、ペン本体の重量を調整可能とすることを特徴とする。
【０００８】
また、本発明の好ましい形態としては、重さ調整部材は、重さ部材と、この重さ部材よりも軽量の材料からなるダミー部材で構成され、重さ部材とダミー部材がペン本体の長手方向に対して所定の位置関係で配置される。また、カバー部材を備え、このカバー部材によって取付部に取り付けられた重さ調整部材が覆われるようにする。また、重さ部材及びダミー部材のそれぞれには貫通孔が備えられており、貫通孔によって、重さ部材とダミー部材とがペン本体の長手方向に対して所定の位置関係で取付部に配置される。あるいは、ペン本体の長手方向の一方の端部側には所定形状の取付部とカバー部材が備えられており、重心調整用部材はカバー部材において移設可能に配置されるとともに取付部に取り付けられる構成としてもよい。
【発明の効果】
【００１０】
本発明によれば、重さ調整部材により入力ペンの重心の位置や自重をユーザの好みに応じて調整することが可能となり、入力ペンの操作性を向上させることができる。
【発明を実施するための最良の形態】
【００１１】
以下、本発明の一実施の形態を、図１〜１１を参照して説明する。
まず、本実施の形態例の電子ペンの構成を図１に従って説明する。ここで、図１Ａは本実施の形態例の電子ペンの全体図、図１Ｂはその分解図である。
図１Ａに示すように、本実施の形態例の電子ペンは、ペン本体１と、重さ調整部材６と、ペングリップ７と、キャップ８とから構成される。ペン本体１は、図１Ｂに示すように、段部３と、ペン本体１の先端部分に設けられるペン先５と、ペン尾２とを備える。
段部３は、ペン本体１の全長（ペン尾２からペン先５まで）のほぼ中央部分に設けられ、その径方向の長さは、後述する重さ調整部材６の径方向の厚みと同じかそれ以上の長さを有している。
【００１２】
ペン本体１の段部３からペン先５の範囲には、段部３からペン尾２までの間のペン本体１の径より細い細径部４が設けられ、この細径部４の範囲内の任意の位置に、重さ調整部材６が取り付けられるようになっている。そして、細径部４のペン先５側には、ペン先５に向かってテーパー状に形成されたテーパー部４ａが設けられており、その表面にはねじ切りが設けられている。
【００１３】
重さ調整部材６は、細径部４に対しペン先５側からペン尾２側へ差込み９が可能となるように、細径部４の径とほぼ同じ内径の貫通穴６ａを有する略円筒形状の部材である。そして、この重さ調整部材６は、所定の長さ（ペン本体１の長手方向）を有しており、例えばアルミ（１ｇ）やステンレス（２ｇ）などの複数の重さ部材及びスペーサー（０ｇ）などのダミー部材から構成される。尚、このスペーサー（０ｇ）は、アルミ（１ｇ）やステンレス（２ｇ）などに対して重さを無視できる程度のものである。
【００１４】
ペングリップ７は、重さ調整部材６を固定する、例えば、弾性を有する筒状のラバー部材で、貫通孔７ａ、開口部７ｂ及び７ｃを備えている。そして、このペングリップ７は、その長さＬが細径部４の長さｌと略同じとなるように構成される。
キャップ８は、貫通孔８ａを有する略円錐形状の部材で、貫通孔８ａの内壁にはねじ切り（図示せず）が設けられている。尚、このキャップ８は、重さ調整部材６がペン先５方向へ抜け落ちることを防止するため、その底部８ｂの直径が、少なくとも重さ調整部材６の径と略同じか大きく構成される。さらに、このキャップ８の貫通孔８ａの内壁には、ペンキャップ８をペン本体１に取る付けるためのねじ切り（図示せず）が設けられている。
【００１５】
次に、本発明の実施形態例における電子ペンの組み立て方法を図２に従って説明する。なお、図２では重さ調整部材６にアルミ１１、ステンレス１２及びスペーサー１３を選択して装着する場合を例示している。
まず、使用者が所望する重量が得られる重さ調整部材６を一つ又は複数選択する。次いで、選択した重さ調整部材６のうち、最もペン本体１の中央部寄りに設けたい重さ調整部材６の貫通孔６ａにペン本体１の細径部４を差し込む。同様に、他の所望する重さ調整部材６も細径部４に順次、差し込んでいく。このとき、最初に細径部４に差し込まれた重さ調整部材６（スペーサー１３）は、ペン尾２側へ深く差し込んでも段部３に当たるので、重さ調整部材６は段部３によりペン尾２側へ移動しないように規制される。尚、この例では、スペーサー１３、ステンレス１２、アルミ１１の順で差し込んでいる。
【００１６】
次いで、ペングリップ７の一方の開口部７ｂ側から既に重さ調整部材６が差し込まれている細径部４を貫通孔７ａに差し込み、差し込まれている重さ調整部材６の上からペングリップ７を被せる。このとき、ペングリップ７の貫通孔７ａの内壁である固定部１４により、使用者が任意の位置に装着したアルミ１１、ステンレス１２及びスペーサー１３がその位置に固定される。
【００１７】
ここで、ペングリップ７の開口部７ｂが段部３に当接する位置まで差し込むと、ペングリップ７の長さＬは細径部４の長さｌと略同じに構成しているので、ペン先５及びテーパー部４ａがペングリップ７の他方の開口部７ｃから外側へ突出する。そして、この突出したテーパー部４ａの表面に設けられたねじ切りとキャップ８の内壁に設けたねじ切りとで、キャップ８がペン本体１に固定される。その結果、ペン本体１の段部３とキャップ８とにより、細径部４に差し込まれた重さ調整部材６は、ペン本体の長手方向への移動が規制されるとともに、ペン本体１からの抜けを防止することが可能になる。
【００１８】
ここで、アルミ１１、ステンレス１２及びスペーサー１３は、それぞれ複数個ペン本体１の細径部４に装着するようにしてもよい。これにより、異なる重量のアルミ１１、ステンレス１２及びスペーサー１３をユーザの好みに合わせてペン本体１の細径部４に装着することができる。このとき、ペングリップ７は、アルミ１１、ステンレス１２及びスペーサー１３を固定する機能と、握り具合をよくする機能とを発揮することになる。さらに、重さ調整部材６を重さの異なる複数のアルミ（１ｇ）やステンレス（２ｇ）及びスペーサー（０ｇ）を組み合わせることにより構成しているので、入力ペンの重心の位置を自在に変えると共に、入力ペンの重さを調整することができる。
【００１９】
ところで、上述のように、本実施の形態例では、任意の数の重さ調整部材６を細径部４に差し込んで構成しているため、複数の重さ調整部材６の長手方向の長さが細径部４の長さｌと完全には同一にならない。その結果、各重さ調整部材６の間、重さ調整部材６と段部３との間又は重さ調整部材６とキャップ８との間に僅かに隙間が生じる。この隙間が生じてしまうと、使用者が電子ペンを使用中に、重さ調整部材６が段部３とキャップ８との間を移動してしまい、各重さ調整部材６同士がぶつかって異音を発生してしまうおそれがある。ところが、本実施の形態例のように、ペングリップ７を重さ調整部材６に被せることで、重さ調整部材６を完全に固定することができるため、異音が発生することを防止することができる。
【００２０】
尚、本実施の形態例においては、段部３は細径部４をペン本体１の径よりも細く構成した結果得られる段差であるが、かかる形態に限らず、例えば、細径部４を設けずにペン本体１から径方向外側へ突出する凸部を設けることで構成しても良い。また、本実施の形態例においては、段部３をペン本体１の中央に設けた場合を例示したが、必要に応じて、任意の位置に設けても良い。例えば、重さを調整できる範囲を大きくしたい場合や、よりペン尾２側に重心をずらしたいには、段部３をペン尾２寄りに設け、細径部４の長さｌをより長くし、重さ調整部材６の取り付け可能な数を多くしたり、後述する調整方法により、重心をペン尾２側に調整可能にしても良い。
【００２１】
図３は、重心をペン先に移動させる調整例を示す図であり、図３Ａは調整例１、図３Ｂは入力ペンの重心の位置と細径部４に挿入する調整部材の重さを示している。
図３Ａに示す調整例１において、重さ調整部材６として２個のスペーサー１３と３個のステンレス１２を、段部３からペン先５の範囲の位置に装着する。
【００２２】
このとき、図３Ｂに示すペン全体の重心及び重さは、次のように調整される。すなわち、２個のスペーサー１３の重さは見かけ上０ｇであるが、３個のステンレス１２は２ｇ×３＝６ｇとなる。従って、ペン本体１の重さに対して６ｇだけ重くすることができる。なお、２個のスペーサー１３の重さはペン本体１の重さに対して無視できるものである。
【００２３】
また、調整前のペンの重心Ｃの位置は、ペン本体１の中央部分の段部３の位置である。これに対して、２個のスペーサー１３及び３個のステンレス１２の組み合わせによって調整された後の重心Ｃ１の位置は、３個のステンレス１２の中央部分となる。これにより、調整前の重心Ｃを、調整後では重心Ｃ１までペン先５方向に移動できたことになる。
【００２４】
図４は、重心をペン先に移動させつつ重いペンにする調整例を示す図であり、図４Ａは調整例２、図４Ｂは入力ペンの重心の位置と細径部４に挿入する重さ調整部材６の重さを示している。
図４Ａに示す調整例２において、重さ調整部材６として２個のアルミ１１と３個のステンレスを、段部３からペン先５の範囲の細径部４に装着する。
【００２５】
このとき、図４Ｂに示す入力ペンの重心及び重さは、次のように調整される。すなわち、２個のアルミ１１の重さは１ｇ×２＝２ｇであり、３個のステンレス１２は２ｇ×３＝６ｇとなる。従って、ペン本体１の重さに対して８ｇだけ重くすることができる。
【００２６】
このように、２個のアルミ１１及び３個のステンレス１２の組み合わせによって調整される重心Ｃ２の位置は、図示のように、３個のステンレス１２の第１（段部３側）の中央部分となる。すなわち、この調整によって、調整前の重心Ｃを、重心Ｃ２までペン先５方向に移動させたことになる。
【００２７】
図５は、重心の移動及び重さ調整をしない調整例を示す図であり、図５Ａは調整例３、図５Ｂは入力ペンの重心の位置及びスペーサー１３の重さ（０ｇ）を示している。
図５Ａに示す調整例３において、重さ調整部材６として５個のスペーサー１３を、段部３からペン先５の範囲の位置に装着する。ここで、上述のように、スペーサー１３の重さは０ｇであるから、５個のスペーサー１３の重さも見かけ上０ｇである。従って、入力ペンの重さは実質的に変わらない。当然のことながら、調整の前後で、入力ペンの重心位置は変化しない。
【００２８】
図６は、巻付型の重さ調整部材の装着状態を示す図である。
図６に示すように、巻付型の重さ調整部材２１は、複数のアルミ１１、ステンレス１２及びスペーサー１３から構成されており、ペン本体１の細径部４に巻付けられる。この巻付型の重さ調整部材２１は、使用前は、図の点線で示されるように板状２２になっていて巻付け後に実線で示される筒状を維持するようになる。いわば不可逆性の成分を含む材料によって形成されるものである。
【００２９】
この巻付型の重さ調整部材２１も、円筒状の重さ調整部材６と同様に、段部３からペン先５の範囲の任意の位置に装着される。そして、その上から、ペングリップ７で被せるようにする。このとき、ペングリップ７の内側の固定部１４が、巻付型重さ調整部材２１を構成する複数のアルミ１１、ステンレス１２及びスペーサー１３を固定する。
【００３０】
ここで、巻付型の重さ調整部材２１を構成するアルミ１１、ステンレス１２及びスペーサー１３等は、図２の場合と同様に、複数個ペン本体１の細径部４に巻付けるようにしてもよい。これにより、筒状の異なる重量のアルミ１１、ステンレス１２及びスペーサー１３をユーザの好みに合わせてペン本体１の細径部４に巻付けることができる。
【００３１】
図７は、嵌込型の重さ調整部材の装着状態を示す図である。
図７に示すように、嵌込型の重さ調整部材３１も、複数のアルミ１１、ステンレス１２及びスペーサー１３から構成され、これをペン本体１の細径部４に嵌め込むようにする。この嵌込型の重さ調整部材３１は、使用前は、図の実線で示す筒状になっていて、巻付け時には点線で示すように、細径部４の径より大きく開口３２させ、巻付け後に再び実践のような筒状に戻る、可とう性部材によって形成されている。そして、段部３からペン先５の範囲の任意の位置に嵌込型の重さ調整部材３１を嵌め込むようにし、その上から、ペングリップ７を被せる。このペングリップ７の内側にある固定部１４により、嵌込型重さ調整部材３１（複数のアルミ１１、ステンレス１２及びスペーサー１３）がペン本体１の細径部４に固定される。
【００３２】
この図７の嵌込型の重さ調整部材３１を構成するアルミ１１、ステンレス１２及びスペーサー１３も、図２，図６と同様、それぞれ複数をペン本体１の細径部４に嵌め込むようにしてもよい。これにより、異なる重量のアルミ１１、ステンレス１２及びスペーサー１３をユーザの好みに合わせてペン本体１の細径部４に嵌め込むことができる。
【００３３】
図８は、ペングリップの内部に重さ調整部材を一体化して設けた例を示す図である。図８に示すように、重さ調整部材４１は、ペングリップ７の内径側に一体化されて構成されている。この例でも、重さ調整部材４１は、図２で示したアルミ１１、ステンレス１２及びスペーサー１３からなる重さ調整部材６と同じものが用いられる。
【００３４】
また、これに限らず、ペングリップ７のゴムや樹脂の成分に対して、例えばアルミ（１ｇ）やステンレス（２ｇ）などの複数の重さ部材に相当する成分及びスペーサー（０ｇ）などのダミー部材に相当する成分を内径側に練りこむことで一体化させてもよい。
【００３５】
この重さ調整部材４１と一体化したペングリップ７も、ペン本体１の細径部４に対して着脱可能である。そして、内部の重さ調整部材４１の重さ調整を変えることにより、重さあるいは重さのバランスが異なったペングリップ７を作製し、これをペン本体１の細径部４に対して着脱させるようにする。
【００３６】
図９は、外部の重さ調整部材と一体化したペングリップの例を示す図である。
図９に示すように、ペングリップ７の外側に重さ調整部材５１が巻き付けられ、一体に構成されている。外部の重さ調整部材５１も、図２等で示したアルミ１１、ステンレス１２及びスペーサー１３からなっている。
【００３７】
また、これに限らず、ペングリップ７のゴムや樹脂の成分に対して、例えばアルミ（１ｇ）やステンレス（２ｇ）などの複数の重さ部材に相当する成分や、スペーサー（０ｇ）などのダミー部材に相当する成分を、ペングリップの外径側に練りこむようにしてもよい。
【００３８】
この場合、外部の重さ調整部材５１と一体化したペングリップ７は、ペン本体１の細径部４に対して着脱可能とする。このため、外部の重さ調整部材５１の重さ調整を変えることにより、重さ及び重心が異なるなるペングリップ７が形成され、このペングリップ７をペン本体１の細径部４に対して着脱させるようにする。これによって、ユーザの好みに合わせて重心の位置あるいは重さを調整することができる。
【００３９】
図１０は、筒状空胴に液状又は粒状の重さ調整部材を充填したペングリップの例を示す図である。
図１０に示すペングリップは、ペングリップ７の内部に筒状の空胴６１が形成されており、この空洞６１に、液状又は粒状の重さ調整部材６２を充填するように構成されている。この液状又は粒状の重さ調整部材６２は、例えば複数の重さ部材に相当する液体（水、粘性油）、粒体（アルミ粒、ステンレス粒）又は粉体（砂）及びダミー部材に相当する気体（空気）、粒体又は粉体（発泡スチロール粒）などで構成されている。
【００４０】
この場合、液状又は粒状の重さ調整部材６２と一体化したペングリップ７は、ペン本体１の細径部４に対して着脱可能である。そして、液状又は粒状の重さ調整部材６２の重さ調整を変えて異なるペングリップ７を作製する。この場合、ペングリップ７の内部の筒状の空胴６１に充填した液状又は粒状の重さ調整部材６２の移動状態を変えることで、ペンの重心位置を調整することができる。すなわち、ペングリップ７をペン先５側に傾けたときには筒状の空胴６１の先端側に液状又は粒状の重さ調整部材６２がすべて移動する。逆に、ペングリップ７を段部３側に傾けたときには筒状の空胴６１の後端側に液状又は粒状の重さ調整部材６２をすべて移動させることができる。
【００４１】
図１１は、複数の筒状空胴に液状又は粒状の重さ調整部材を充填したペングリップの例を示す図である。
図１１に示すように、ペングリップ７の内部の筒状の空胴７１に、液状又は粒状の重さ調整部材９１が充填されるようになっている。このように作製した液状又は粒状の重さ調整部材９１は、例えば複数の重さ部材に相当する液体（水、粘性油）、粒体（アルミ粒、ステンレス粒）又は粉体（砂）及びダミー部材に相当する気体（空気）、粒体又は粉体（発泡スチロール粒）などで構成されている。
【００４２】
ここで、空胴７１は、複数の空洞７２、７３、７４、７５を設けるように仕切８１で仕切られている。すなわち、空洞７２と空洞７３は仕切８２で仕切られ、空洞７３と空洞７４は仕切８３で仕切られ、空洞７４と空洞７５は仕切８４で仕切られる。また、空洞７２の段部３側の端部は密閉され、空洞７５のペン先側は仕切８５で仕切られる。
【００４３】
この場合、液状又は粒状の重さ調整部材９１と一体化したペングリップ７は、ペン本体１の細径部４に対して着脱可能である。このため、液状又は粒状の重さ調整部材９１の重さ調整を変えるごとに異なるペングリップ７をペン本体１の細径部４に対して着脱させて、調整具合をユーザの好みに合わせることができる。
【００４４】
この場合、ペングリップ７の内部の筒状の空胴７１に充填した液状又は粒状の重さ調整部材９１の移動具合を変えることで、調整具合を変えることができる。これにより、ペングリップ７をペン先５側に傾けたときには筒状の空胴７１の複数の空洞７２、７３、７４、７５の先端側の仕切８１に液状又は粒状の重さ調整部材９１をそれぞれ分けて移動させることができる。
【００４５】
逆に、段部３側に傾けたときには筒状の空胴７１の複数の空洞７２、７３、７４、７５の後端側の仕切８１に液状又は粒状の重さ調整部材９１をそれぞれ分けて移動させることができる。
【００４６】
また、上述した図２に示した重さ調整部材６、図６に示した巻付型の重さ調整部材２１、図７に示した嵌込型の重さ調整部材３１、図８に示した内部の重さ調整部材４１、図９に示した外部の重さ調整部材５１、図１０に示した液状又は粒状の重さ調整部材６２、図１１に示した液状又は粒状の重さ調整部材９１は、ペン先５の機能に影響を与えない素材で構成される。
【００４７】
すなわち、上述したペンが電磁誘導作用によりデジタイザへの入力検出を行う入力ペンに適用される場合には、上述した重さ調整部材はこの電磁誘導作用に影響を与えない素材でなければならない。
【００４８】
上述したペンが電磁誘導作用によりデジタイザへの入力検出を行う入力ペンに適用される場合には、ペン先５にはマグティックコアが設けられるため、上述した重さ調整部材は、このマグティックコアによる電磁誘導作用と干渉し合うことのない素材で構成される必要がある。
【００４９】
なお、上述した本実施の形態例に限らず、特許請求の範囲に記載された本発明の要旨を逸脱しない限り、適宜変更しうることは言うまでもない。
【図面の簡単な説明】
【００５０】
【図１】本実施の形態例の電子ペンの構造を示す説明図であり、図１Ａは全体図、図１Ｂは分解図である。
【図２】筒状の重さ調整部材の装着方法の説明図である。
【図３】重心をペン先に移動させる調整例を示す図であり、図３Ａは調整例１、図３Ｂは重心及び重さである。
【図４】重心をペン先に移動させつつ重いペンにする調整例を示す図であり、図４Ａは調整例２、図４Ｂは重心及び重さである。
【図５】重心の移動及び重さ調整をしない調整例を示す図であり、図５Ａは調整例３、図５Ｂは重心及び重さである。
【図６】巻付型の重さ調整部材の装着状態を示す図である。
【図７】嵌込型の重さ調整部材の装着状態を示す図である。
【図８】内部の重さ調整部材と一体化したペングリップの例を示す図である。
【図９】外部の重さ調整部材と一体化したペングリップの例を示す図である。
【図１０】筒状空胴に液状又は粒状の重さ調整部材を充填したペングリップの例を示す図である。
【図１１】複数の筒状空胴に液状又は粒状の重さ調整部材を充填したペングリップの例を示す図である。
【符号の説明】
【００５１】
１…ペン本体、２…ペン尾、３…段部、４…細径部、５…ペン先、６…重さ調整部材、６ａ…貫通孔、７…ペングリップ、８…キャップ、９…差込み、１１…アルミ、１２…ステンレス、１３…スペーサー、Ｃ…ペンの重心、Ｃ１…調整後の重心、Ｃ２…調整後の重心、２１…巻付型の重さ調整部材、３１…嵌込型の重さ調整部材、４１…内部の重さ調整部材、５１…外部の重さ調整部材、６２…液状又は粒状の重さ調整部材、９１…液状又は粒状の重さ調整部材
【図１】
0005235472.tif 000002
【図２】
0005235472.tif 000003
【図３】
0005235472.tif 000004
【図４】
0005235472.tif 000005
【図５】
0005235472.tif 000006
【図６】
0005235472.tif 000007
【図７】
0005235472.tif 000008
【図８】
0005235472.tif 000009
【図９】
0005235472.tif 000010
【図１０】
0005235472.tif 000011
【図１１】
0005235472.tif 000012